(57)【要約】【課題】基地局と通信するためのアンテナの配置を最適化する。【解決手段】空気調和装置の室外機（10）は、ケーシング（20）と、ケーシング（20）に設けられ、基地局（2）と通信するためのアンテナ（30）とを備える。ケーシング（20）は、金属製のケーシング本体（21）と、ケーシング本体（21）に取り付けられる樹脂部材（22,24〜26）とを有する。アンテナ（30）は、樹脂部材（22,24〜26,31）に設けられ、または樹脂部材（22,24〜26,31）の裏側に配置される。【選択図】図３
2020204455.tif 000002
【特許請求の範囲】
【請求項１】
ケーシング（20）と、
上記ケーシング（20）に設けられ、基地局（2）と通信するためのアンテナ（30）とを備え、
上記ケーシング（20）は、
金属製のケーシング本体（21）と、
上記ケーシング本体（21）に取り付けられる樹脂部材（22,24〜26,31）とを有し、
上記アンテナ（30）は、上記樹脂部材（22,24〜26,31）に設けられ、または上記樹脂部材（22,24〜26,31）の裏側に配置される
ことを特徴とする空気調和装置の室外機。
【請求項２】
請求項１において、
上記樹脂部材は、点検扉（22）である
ことを特徴とする空気調和装置の室外機。
【請求項３】
請求項２において、
上記ケーシング（20）内における上記点検扉（22）の裏側に配置され、該点検扉（22）側の側面の少なくとも一部が樹脂で構成された電装品箱（23）を備え、
上記アンテナ（30）は、上記電装品箱（23）に収容される
ことを特徴とする空気調和装置の室外機。
【請求項４】
請求項１において、
上記樹脂部材は、把手（24）である
ことを特徴とする空気調和装置の室外機。
【請求項５】
請求項１において、
上記樹脂部材は、閉鎖弁カバー（26）である
ことを特徴とする空気調和装置の室外機。
【請求項６】
請求項１において、
上記樹脂部材は、吹出グリル（25）である
ことを特徴とする空気調和装置の室外機。
【請求項７】
請求項１において、
上記ケーシング本体（21）には、該ケーシング本体（21）の外側に開口する凹部（40）が形成され、
上記ケーシング本体（21）の上記凹部（40）に、上記アンテナ（30）及び上記樹脂部材（31）が設置される
ことを特徴とする空気調和装置の室外機。
【請求項８】
請求項７において、
上記樹脂部材は、上記アンテナ（30）を変位可能に支持する基台（31）であり、
上記基台（31）の全体が上記凹部（40）に収容される一方、
上記アンテナ（30）は、該アンテナ（30）の全体が上記凹部（40）に収容される第１位置と、該アンテナ（30）の少なくとも一部が上記凹部（40）の外部に位置する第２位置との間を移動可能である
ことを特徴とする空気調和装置の室外機。
【請求項９】
請求項１〜８のいずれか１項に記載の空気調和装置の室外機（10）を複数備え、
上記空気調和装置の室外機（10）の間で、上記アンテナ（30）を介したホッピング通信を実行できるように構成されている
ことを特徴とする室外機システム。
【発明の詳細な説明】
【技術分野】
【０００１】
本開示は、空気調和装置の室外機およびそれを備えた室外機システムに関するものである。
【背景技術】
【０００２】
従来より、通信ユニットを備えた空気調和装置の室外機（以下、単に室外機ともいう）が知られている（例えば、特許文献１）。特許文献１の室外機では、通信ユニットは、当該室外機に近接する情報端末との間で非接触のデータ通信を行う。
【先行技術文献】
【特許文献】
【０００３】
【特許文献１】国際公開第２０１６／０８０３５３号
【発明の概要】
【発明が解決しようとする課題】
【０００４】
ところで、室外機に、基地局との通信するためのアンテナを設けることが考えられる。この場合、アンテナを、その性能が最大限に発揮されるように配置する必要がある。しかしながら、そのようなアンテナの配置について、これまで十分には検討されていない。
【０００５】
本開示の目的は、基地局と通信するためのアンテナの配置を最適化することにある。
【課題を解決するための手段】
【０００６】
本開示の第１の態様は、空気調和装置の室外機（10）を対象とする。空気調和装置の室外機（10）は、ケーシング（20）と、上記ケーシング（20）に設けられ、基地局（2）と通信するためのアンテナ（30）とを備える。上記ケーシング（20）は、金属製のケーシング本体（21）と、上記ケーシング本体（21）に取り付けられる樹脂部材（22,24〜26,31）とを有する。上記アンテナ（30）は、上記樹脂部材（22,24〜26,31）に設けられ、または上記樹脂部材（22,24〜26,31）の裏側に配置される。
【０００７】
第１の態様では、ケーシング（20）に設けられるアンテナ（30）は、金属製のケーシング本体（21）ではなく、樹脂部材（22,24〜26,31）に設けられ、または樹脂部材（22,24〜26,31）の裏側に配置される。このため、基地局（2）との通信が金属製のケーシング本体（21）に妨げられにくい。換言すると、アンテナ（30）を樹脂部材（22,24〜26,31）に設け、または樹脂部材（22,24〜26,31）の裏側に配置することにより、基地局（2）との良好な通信を実現できる。このように、基地局（2）と通信するためのアンテナ（30）の配置を最適化できる。
【０００８】
本開示の第２の態様は、上記第１の態様において、上記樹脂部材（22,24〜26）は、点検扉（22）であることを特徴とする。
【０００９】
第２の態様において、アンテナ（30）は、点検扉（22）に設けられ、または点検扉（22）の裏側に配置される。
【００１０】
本開示の第３の態様は、上記第２の態様において、上記ケーシング（20）内における上記点検扉（22）の裏側に配置され、該点検扉（22）側の側面の少なくとも一部が樹脂で構成された電装品箱（23）を備え、上記アンテナ（30）は、上記電装品箱（23）に収容されることを特徴とする。
【００１１】
第３の態様では、アンテナ（30）が電装品箱（23）に収容され、電装品箱（23）はさらにケーシング（20）内における点検扉（22）の裏側に配置される。電装品箱（23）の点検扉（22）側の側面の少なくとも一部と、点検扉（22）とが樹脂で構成される。アンテナ（30）が送受信する電波は、これらの樹脂で構成された部分を実質的に減衰せずに通過する。
【００１２】
本開示の第４の態様は、上記第１の態様において、上記樹脂部材は、把手（24）であることを特徴とする。
【００１３】
第４の態様において、アンテナ（30）は、把手（24）に設けられ、または把手（24）の裏側に配置される。
【００１４】
本開示の第５の態様は、上記第１の態様において、上記樹脂部材は、閉鎖弁カバー（26）であることを特徴とする。
【００１５】
第５の態様において、アンテナ（30）は、閉鎖弁カバー（26）に設けられ、または閉鎖弁カバー（26）の裏側に配置される。
【００１６】
本開示の第６の態様は、上記第１の態様において、上記樹脂部材は、吹出グリル（25）であることを特徴とする。
【００１７】
第６の態様において、アンテナ（30）は、吹出グリル（25）に設けられ、または吹出グリル（25）の裏側に配置される。
【００１８】
本開示の第７の態様は、上記第１の態様において、上記ケーシング本体（21）には、該ケーシング本体（21）の外側に開口する凹部（40）が形成され、上記ケーシング本体（21）の上記凹部（40）に、上記アンテナ（30）及び上記樹脂部材（31）が設置されることを特徴とする。
【００１９】
第７の態様において、アンテナ（30）は、樹脂部材（31）と共にケーシング本体（21）の凹部（40）に設置される。
【００２０】
本開示の第８の態様は、上記第７の態様において、上記樹脂部材は、上記アンテナ（30）を変位可能に支持する基台（31）であり、上記基台（31）の全体が上記凹部（40）に収容される一方、上記アンテナ（30）は、該アンテナ（30）の全体が上記凹部（40）に収容される第１位置と、該アンテナ（30）の少なくとも一部が上記凹部（40）の外部に位置する第２位置との間を移動可能であることを特徴とする。
【００２１】
第８の態様において、アンテナ（30）は、第１位置と第２位置との間を移動可能である。アンテナ（30）は、第１位置に位置するときに、その全体が凹部（40）に収容される。このため、例えば室外機（10）を輸送する際には、アンテナ（30）を第１位置に位置させることによって、アンテナ（30）が損傷する可能性を低減できる。また、アンテナ（30）は、第２位置に位置するときに、その少なくとも一部が凹部（40）の外部に位置する。このため、室外機（10）の据え付け後にアンテナ（30）を第２位置に位置させることによって、基地局（2）との良好な通信を実現できる。
【００２２】
本開示の第９の態様は、室外機システム（1）を対象とする。室外機システム（1）は、上記第１〜第８の態様のいずれか１つの空気調和装置の室外機（10）を複数備え、上記空気調和装置の室外機（10）の間で、上記アンテナ（30）を介したホッピング通信を実行できるように構成されている。
【００２３】
第９の態様では、複数の室外機（10）のいずれかにおいて基地局（2）との直接的な通信が困難である場合に、その室外機（10）は、基地局（2）との通信状態が良好な他の室外機（10）を経由して基地局（2）と間接的に通信することができる。
【図面の簡単な説明】
【００２４】
【図１】図１は、実施形態１の室外機システムを概略的に示す構成図である。
【図２】図２は、実施形態１の空気調和装置の室外機の正面図である。
【図３】図３は、実施形態１の開状態の点検扉とその周辺を示す拡大正面図である。
【図４】図４は、図３のIV−IV断面を示す概略断面図である。
【図５】図５は、実施形態２の空気調和装置の室外機の斜視図である。
【図６】図６は、実施形態２の変形例の空気調和装置の室外機の斜視図である。
【図７】図７は、実施形態３の空気調和装置の室外機の斜視図である。
【図８】図８は、実施形態４の空気調和装置の室外機の斜視図である。
【図９】図９は、実施形態４の室外機の凹部を含む要部の断面図であって、アンテナが第１位置に位置する状態を示す図である。
【図１０】図１０は、実施形態４の室外機の凹部を含む要部の断面図であって、アンテナが第２位置に位置する状態を示す図である。
【発明を実施するための形態】
【００２５】
《実施形態１》
実施形態１について説明する。本実施形態の空気調和装置の室外機（10）（以下、単に室外機（10）ともいう。）は、不図示の室内機と共に、対象空間の空気調和を行う空気調和装置を構成する。以下では、まず複数の室外機（10）を備える室外機システム（1）について説明し、続けて室外機（10）について説明する。
【００２６】
−室外機システム−
図１に示すように、室外機システム（1）は、空気調和装置の室外機（10）を複数（この例では、４つ）備える。各室外機（10）は、基地局（2）と通信するためのアンテナ（30）を有する。各室外機（10）は、アンテナ（30）を介して電波を送受信することで基地局（2）とデータ通信を行う。室外機システム（1）は、複数の室外機（10）の間で、アンテナ（30）を介したホッピング通信を実行できるように構成される。
【００２７】
ホッピング通信について説明する。仮に、第１の室外機（10）が、電波の受信状態が悪いため、基地局（2）と直接には無線通信できない状態になったとする。その場合、第１の室外機（10）は、基地局（2）と直接に無線通信できる第２の室外機（10）との間で電波を送受信し、第２の室外機（10）を介して基地局（2）と無線通信する。このような、ある室外機（10）が他の室外機（10）を介して基地局（2）と通信することを、ホッピング通信という。
【００２８】
−空気調和装置の室外機−
図２に示すように、室外機（10）は、ケーシング（20）を備える。ケーシング（20）は、実質的に中空の直方体状に形成される。ケーシング（20）は、金属製のケーシング本体（21）と、ケーシング本体（21）に取り付けられる樹脂製の点検扉（22）とを備える。点検扉（22）は、樹脂部材を構成している。
【００２９】
図２〜図４に示すように、ケーシング（20）内における点検扉（22）の裏側には電装品箱（23）が配置される。電装品箱（23）の前面部（23a）は、全体が樹脂で構成される。前面部（23a）は、図２および図３における手前側の面（あるいは、点検扉（22）側の面）を形成する部分である。電装品箱（23）の前面部（23a）以外の部分は、樹脂で構成されていてもよいし、樹脂以外の材料（例えば、金属）で構成されていてもよい。電装品箱（23）の内部には、基地局（2）と通信するためのアンテナ（30）が収容される。なお、電装品箱（23）の前面部（23a）は、アンテナ（30）と向かい合う部分だけが樹脂で構成されていてもよい。
【００３０】
−実施形態１の効果１−
本実施形態の空気調和装置の室外機（10）は、ケーシング（20）と、上記ケーシング（20）に設けられ、基地局（2）と通信するためのアンテナ（30）とを備え、上記ケーシング（20）は、金属製のケーシング本体（21）と、上記ケーシング本体（21）に取り付けられる樹脂部材（22,24〜26）とを有し、上記アンテナ（30）は、上記樹脂部材（22,24〜26）の裏側に配置される。
【００３１】
したがって、ケーシング（20）に設けられるアンテナ（30）は、金属製のケーシング本体（21）ではなく、樹脂部材（22,24〜26）またはその裏に設けられる。このため、基地局（2）との通信が金属製のケーシング本体（21）に妨げられにくい。換言すると、アンテナ（30）を樹脂部材（22,24〜26）の裏側に配置することにより、基地局（2）との良好な通信を実現できる。このように、基地局（2）と通信するためのアンテナ（30）の配置を最適化できる。
【００３２】
−実施形態１の効果２−
本実施形態の空気調和装置の室外機（10）は、上記ケーシング（20）内における上記点検扉（22）の裏側に配置され、該点検扉（22）側の側面の少なくとも一部が樹脂で構成された電装品箱（23）を備え、上記アンテナ（30）は、上記電装品箱（23）に収容される。
【００３３】
したがって、アンテナ（30）が電装品箱（23）に収容され、電装品箱（23）はさらにケーシング（20）内における点検扉（22）の裏側に配置される。電装品箱（23）の点検扉（22）側の側面の少なくとも一部と、点検扉（22）とが樹脂で構成される。アンテナ（30）が送受信する電波は、これらの樹脂で構成された部分を実質的に減衰せずに通過する。
【００３４】
−実施形態１の効果３−
本実施形態の室外機システム（1）は、上記空気調和装置の室外機（10）を複数備え、上記空気調和装置の室外機（10）の間で、上記アンテナ（30）を介したホッピング通信を実行できるように構成されている。
【００３５】
したがって、複数の室外機（10）のいずれかにおいて基地局（2）との直接的な通信が困難である場合に、その室外機（10）は、基地局（2）との通信状態が良好な他の室外機（10）を経由して基地局（2）と間接的に通信することができる。
【００３６】
《実施形態２》
実施形態２について説明する。本実施形態の室外機（10）は、ケーシング（20）の構成とアンテナ（30）の配置が上記実施形態１と異なる。以下、上記実施形態１と異なる点について主に説明する。
【００３７】
図５に示すように、ケーシング（20）は、前後にやや扁平な直方体状に形成される。ケーシング（20）は、金属製のケーシング本体（21）と、ケーシング本体（21）の前面に取り付けられる樹脂製の吹出グリル（25）とを有する。ケーシング（20）内における吹出グリル（25）の裏側には、不図示の室外ファンが収容される。
【００３８】
ケーシング本体（21）には、樹脂製の把手（24）が設けられる。この把手（24）には、基地局（2）と通信するためのアンテナ（30）が一体化される。把手（24）は、樹脂部材を構成している。
【００３９】
−実施形態２の効果−
本実施形態の空気調和装置の室外機（10）では、樹脂部材である把手（24）にアンテナ（30）が設けられる。そして、この室外機（10）によっても、上記実施形態１と同様の効果が得られる。
【００４０】
−実施形態２の変形例−
実施形態２の変形例について説明する。本変形例の室外機（10）は、上記実施形態２とアンテナ（30）の配置が異なる。以下、上記実施形態２と異なる点について主に説明する。
【００４１】
図６に示すように、アンテナ（30）は、樹脂製の吹出グリル（25）の中央部に一体化される。吹出グリル（25）は、樹脂部材を構成している。
【００４２】
《実施形態３》
実施形態３について説明する。本実施形態の室外機（10）は、ケーシング（20）の構成とアンテナ（30）の配置が上記実施形態２と異なる。以下、上記実施形態２と異なる点について主に説明する。
【００４３】
図７に示すように、ケーシング（20）は、前後にやや扁平な直方体状に形成される。ケーシング（20）は、金属製のケーシング本体（21）と、ケーシング本体（21）の前面に取り付けられる樹脂製の吹出グリル（25）とを有する。ケーシング（20）内における吹出グリル（25）の裏側には、不図示の室外ファンが収容される。
【００４４】
ケーシング本体（21）には、樹脂製の閉鎖弁カバー（26）が設けられる。閉鎖弁カバー（26）は、不図示の閉鎖弁を覆う。閉鎖弁カバー（26）には、基地局（2）と通信するためのアンテナ（30）が一体化される。閉鎖弁カバー（26）は、樹脂部材を構成している。
【００４５】
−実施形態３の効果−
本実施形態の空気調和装置の室外機（10）では、樹脂部材である閉鎖弁カバー（26）にアンテナ（30）が設けられる。そして、この室外機（10）によっても、上記実施形態１と同様の効果が得られる。
【００４６】
《実施形態４》
実施形態４について説明する。本実施形態の室外機（10）は、ケーシング（20）の構成とアンテナ（30）の配置が上記実施形態２と異なる。以下、上記実施形態２と異なる点について主に説明する。
【００４７】
図８及び図９に示すように、本実施形態の室外機（10）では、ケーシング（20）のケーシング本体（21）に凹部（40）が形成される。凹部（40）は、ケーシング本体（21）の天板部（45）に形成された矩形状の窪みである。凹部（40）は、例えばプレス加工によって形成される。ケーシング本体（21）の天板部（45）において、凹部（40）は、室外機（10）を吹出し吹出グリル（25）側から見たときの右側部に沿って形成される。
【００４８】
本実施形態のアンテナ（30）は、棒状（ロッド状）に形成される。アンテナ（30）は、アンテナ（30）を支持する基台（31）に取り付けられる。アンテナ（30）は、その一端部が基台に回転可能に支持される。
【００４９】
基台（31）は、小さなブロック状の部材である。基台（31）の主な材質は、樹脂である。基台（31）は、凹部（40）の底面に固定される。基台（31）は、ケーシング本体（21）に取り付けられる樹脂部材である。基台（31）の高さは、凹部（40）の深さよりも低い（図９を参照）。従って、基台（31）は、その全体が凹部（40）に収容される。言い換えると、基台（31）は、その全体が凹部（40）に埋没している。
【００５０】
図９及び図１０に示すように、本実施形態のアンテナ（30）は、基台（31）に支持された一端部を中心に回転可能となっている。アンテナ（30）は、回転することによって、第１位置と第２位置との間を移動できる。
【００５１】
図９に示すように、第１位置は、アンテナ（30）の全体が凹部（40）に収容される位置である。第１位置に位置するアンテナ（30）は、その軸方向が概ね水平方向となり、その全体が凹部（40）に埋没する。言い換えると、第１位置に位置するアンテナ（30）は、その全体が、ケーシング本体（21）の天板部（45）の外面（45a）よりも下方に位置する。
【００５２】
図１０に示すように、第２位置は、アンテナ（30）の一部が凹部（40）の外部に存在する位置である。第２位置に位置するアンテナ（30）は、起立した姿勢となり、凹部（40）の外部に向かって突出する。
【００５３】
本実施形態の室外機（10）の輸送中において、アンテナ（30）は、第１位置に位置する。第１位置に位置するアンテナ（30）は、その全体が凹部（40）に埋没する。そのため、室外機（10）の輸送中にアンテナ（30）が破損する可能性が低くなる。
【００５４】
本実施形態の室外機（10）を建物などに据え付ける際には、作業者が、アンテナ（30）を手で操作して第１位置から第２位置へ移動させる。第２位置に位置するアンテナ（30）は、その一部が凹部（40）の外部に向かって突出する。そのため、アンテナ（30）が受信する電波の強度と、アンテナ（30）が発信する電波の強度とが比較的高く保たれ、室外機（10）と基地局（2）の間における通信が確実に行われる。
【００５５】
−実施形態４の効果−
本実施形態の室外機（10）では、ケーシング本体（21）の凹部（40）に基台（31）とアンテナ（30）が設置され、更には、アンテナ（30）が第１位置と第２位置の間を移動可能である。そのため、室外機（10）の輸送中は、アンテナ（30）を第１位置に位置させることによって、アンテナ（30）が損傷する可能性を低減できる。また、室外機（10）を建物などに据え付けた後は、アンテナ（30）を第２位置に位置させることによって、室外機（10）と基地局（2）の間における良好な通信を実現できる。
【００５６】
−実施形態４の変形例−
本実施形態の室外機（10）において、凹部（40）を形成する対象は、ケーシング本体（21）の天板部（45）に限定されない。アンテナ（30）及び基台（31）が設置される凹部（40）は、例えばケーシング本体（21）の側板部（46）に形成されていてもよい。
【００５７】
《その他の実施形態》
上記実施形態については、以下のような構成としてもよい。
【００５８】
上記実施形態１では、樹脂製の点検扉（22）の裏に配置される電装品箱（23）にアンテナ（30）が収容されるが、例えば、点検扉（22）にアンテナ（30）が一体化されていてもよい。
【００５９】
また、上記実施形態１〜４のそれぞれにおいて、アンテナ（30）の形状は限定されない。アンテナ（30）は、例えばシャークフィン状のアンテナであってもよいし、ブレード状のアンテナであってもよい。また、アンテナ（30）は、プリント基板などに取り付けられるチップ状のアンテナであってもよい。
【００６０】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【００６１】
以上説明したように、本開示は、空気調和装置の室外機およびそれを備えた室外機システムについて有用である。
【符号の説明】
【００６２】
1  室外機システム
2  基地局
10  室外機
20  ケーシング
21  ケーシング本体
22  点検扉（樹脂部材）
23  電装品箱
24  把手（樹脂部材）
25  吹出グリル（樹脂部材）
26  閉鎖弁カバー（樹脂部材）
30  アンテナ
31  基台（樹脂部材）
【図１】
2020204455.tif 000003
【図２】
2020204455.tif 000004
【図３】
2020204455.tif 000005
【図４】
2020204455.tif 000006
【図５】
2020204455.tif 000007
【図６】
2020204455.tif 000008
【図７】
2020204455.tif 000009
【図８】
2020204455.tif 000010
【図９】
2020204455.tif 000011
【図１０】
2020204455.tif 000012
【手続補正書】
【提出日】令和2年10月23日(2020.10.23)
【手続補正１】
【補正対象書類名】明細書
【補正対象項目名】全文
【補正方法】変更
【補正の内容】
【発明の詳細な説明】
【技術分野】
【０００１】
本開示は、空気調和装置の室外機およびそれを備えた室外機システムに関するものである。
【背景技術】
【０００２】
従来より、通信ユニットを備えた空気調和装置の室外機（以下、単に室外機ともいう）が知られている（例えば、特許文献１）。特許文献１の室外機では、通信ユニットは、当該室外機に近接する情報端末との間で非接触のデータ通信を行う。
【先行技術文献】
【特許文献】
【０００３】
【特許文献１】国際公開第２０１６／０８０３５３号
【発明の概要】
【発明が解決しようとする課題】
【０００４】
ところで、室外機に、基地局との通信するためのアンテナを設けることが考えられる。この場合、アンテナを、その性能が最大限に発揮されるように配置する必要がある。しかしながら、そのようなアンテナの配置について、これまで十分には検討されていない。
【０００５】
本開示の目的は、基地局と通信するためのアンテナの配置を最適化することにある。
【課題を解決するための手段】
【０００６】
本開示の第１の態様は、空気調和装置の室外機（10）を対象とする。空気調和装置の室外機（10）は、ケーシング（20）と、上記ケーシング（20）に設けられ、基地局（2）と通信するためのアンテナ（30）とを備える。
上記ケーシング（20）は、金属製のケーシング本体（21）と、上記ケーシング本体（21）に取り付けられて該ケーシング本体（21）の外部に露出する樹脂部材（24〜26）とを有し、上記アンテナ（30）は、上記樹脂部材（24〜26）と一体化される。
【０００７】
第１の態様では、ケーシング（20）に設けられるアンテナ（30）は、金属製のケーシング本体（21）ではなく、ケーシング本体（21）の外部に露出する樹脂部材（22,24〜26,31）と一体化される。このため、基地局（2）との通信が金属製のケーシング本体（21）に妨げられにくい。換言すると、アンテナ（30）を樹脂部材（22,24〜26,31）と一体化することにより、基地局（2）との良好な通信を実現できる。このように、基地局（2）と通信するためのアンテナ（30）の配置を最適化できる。
【０００８】
本開示の第２の態様は、上記第１の態様において、上記樹脂部材は、把手（24）であることを特徴とする。
【０００９】
第２の態様において、アンテナ（30）は、把手（24）に設けられ、または把手（24）の裏側に配置される。
【００１０】
本開示の第３の態様は、上記第１の態様において、上記樹脂部材は、閉鎖弁カバー（26）であることを特徴とする。
【００１１】
第３の態様において、アンテナ（30）は、閉鎖弁カバー（26）に設けられ、または閉鎖弁カバー（26）の裏側に配置される。
【００１２】
本開示の第４の態様は、上記第１の態様において、上記樹脂部材は、吹出グリル（25）であることを特徴とする。
【００１３】
第４の態様において、アンテナ（30）は、吹出グリル（25）に設けられ、または吹出グリル（25）の裏側に配置される。
【００１４】
本開示の第５の態様は、空気調和装置の室外機を対象とし、ケーシング（20）と、上記ケーシング（20）に設けられ、基地局（2）と通信するためのアンテナ（30）とを備え、上記ケーシング（20）は、金属製のケーシング本体（21）と、上記ケーシング本体（21）に取り付けられる樹脂部材（31）とを有し、上記ケーシング本体（21）には、該ケーシング本体（21）の外側に開口する凹部（40）が形成され、上記ケーシング本体（21）の上記凹部（40）に、上記アンテナ（30）及び上記樹脂部材（31）が設置され、上記樹脂部材は、上記アンテナ（30）を変位可能に支持する基台（31）であり、上記基台（31）の全体が上記凹部（40）に収容され、上記基台（31）の高さは、上記凹部（40）の深さよりも低く、上記アンテナ（30）は、該アンテナ（30）の全体が上記凹部（40）に収容されて上記ケーシング本体（21）の外面よりも内側に位置する第１位置と、該アンテナ（30）の少なくとも一部が上記凹部（40）の外部に位置する第２位置との間を移動可能であることを特徴とする。
【００１５】
第５の態様において、アンテナ（30）は、樹脂部材（31）と共にケーシング本体（21）の凹部（40）に設置される。
【００１６】
第５の態様において、アンテナ（30）は、第１位置と第２位置との間を移動可能である。アンテナ（30）は、第１位置に位置するときに、その全体が凹部（40）に収容される。このため、例えば室外機（10）を輸送する際には、アンテナ（30）を第１位置に位置させることによって、アンテナ（30）が損傷する可能性を低減できる。また、アンテナ（30）は、第２位置に位置するときに、その少なくとも一部が凹部（40）の外部に位置する。このため、室外機（10）の据え付け後にアンテナ（30）を第２位置に位置させることによって、基地局（2）との良好な通信を実現できる。
【００１７】
本開示の第６の態様は、室外機システム（1）を対象とする。室外機システム（1）は、上記第１〜第５の態様のいずれか１つの空気調和装置の室外機（10）を複数備え、上記空気調和装置の室外機（10）の間で、上記アンテナ（30）を介したホッピング通信を実行できるように構成されている。
【００１８】
第６の態様では、複数の室外機（10）のいずれかにおいて基地局（2）との直接的な通信が困難である場合に、その室外機（10）は、基地局（2）との通信状態が良好な他の室外機（10）を経由して基地局（2）と間接的に通信することができる。
【図面の簡単な説明】
【００１９】
【図１】図１は、参考技術の室外機システムを概略的に示す構成図である。
【図２】図２は、参考技術の空気調和装置の室外機の正面図である。
【図３】図３は、参考技術の開状態の点検扉とその周辺を示す拡大正面図である。
【図４】図４は、図３のIV−IV断面を示す概略断面図である。
【図５】図５は、実施形態１の空気調和装置の室外機の斜視図である。
【図６】図６は、実施形態１の変形例の空気調和装置の室外機の斜視図である。
【図７】図７は、実施形態２の空気調和装置の室外機の斜視図である。
【図８】図８は、実施形態３の空気調和装置の室外機の斜視図である。
【図９】図９は、実施形態３の室外機の凹部を含む要部の断面図であって、アンテナが第１位置に位置する状態を示す図である。
【図１０】図１０は、実施形態３の室外機の凹部を含む要部の断面図であって、アンテナが第２位置に位置する状態を示す図である。
【発明を実施するための形態】
【００２０】
《参考技術》
参考技術について説明する。本参考技術の空気調和装置の室外機（10）（以下、単に室外機（10）ともいう。）は、不図示の室内機と共に、対象空間の空気調和を行う空気調和装置を構成する。以下では、まず複数の室外機（10）を備える室外機システム（1）について説明し、続けて室外機（10）について説明する。
【００２１】
−室外機システム−
図１に示すように、室外機システム（1）は、空気調和装置の室外機（10）を複数（この例では、４つ）備える。各室外機（10）は、基地局（2）と通信するためのアンテナ（30）を有する。各室外機（10）は、アンテナ（30）を介して電波を送受信することで基地局（2）とデータ通信を行う。室外機システム（1）は、複数の室外機（10）の間で、アンテナ（30）を介したホッピング通信を実行できるように構成される。
【００２２】
ホッピング通信について説明する。仮に、第１の室外機（10）が、電波の受信状態が悪いため、基地局（2）と直接には無線通信できない状態になったとする。その場合、第１の室外機（10）は、基地局（2）と直接に無線通信できる第２の室外機（10）との間で電波を送受信し、第２の室外機（10）を介して基地局（2）と無線通信する。このような、ある室外機（10）が他の室外機（10）を介して基地局（2）と通信することを、ホッピング通信という。
【００２３】
−空気調和装置の室外機−
図２に示すように、室外機（10）は、ケーシング（20）を備える。ケーシング（20）は、実質的に中空の直方体状に形成される。ケーシング（20）は、金属製のケーシング本体（21）と、ケーシング本体（21）に取り付けられる樹脂製の点検扉（22）とを備える。点検扉（22）は、樹脂部材を構成している。
【００２４】
図２〜図４に示すように、ケーシング（20）内における点検扉（22）の裏側には電装品箱（23）が配置される。電装品箱（23）の前面部（23a）は、全体が樹脂で構成される。前面部（23a）は、図２および図３における手前側の面（あるいは、点検扉（22）側の面）を形成する部分である。電装品箱（23）の前面部（23a）以外の部分は、樹脂で構成されていてもよいし、樹脂以外の材料（例えば、金属）で構成されていてもよい。電装品箱（23）の内部には、基地局（2）と通信するためのアンテナ（30）が収容される。なお、電装品箱（23）の前面部（23a）は、アンテナ（30）と向かい合う部分だけが樹脂で構成されていてもよい。
【００２５】
−参考技術の効果１−
本参考技術の空気調和装置の室外機（10）は、ケーシング（20）と、上記ケーシング（20）に設けられ、基地局（2）と通信するためのアンテナ（30）とを備え、上記ケーシング（20）は、金属製のケーシング本体（21）と、上記ケーシング本体（21）に取り付けられる樹脂部材（22,24〜26）とを有し、上記アンテナ（30）は、上記樹脂部材（22,24〜26）の裏側に配置される。
【００２６】
したがって、ケーシング（20）に設けられるアンテナ（30）は、金属製のケーシング本体（21）ではなく、樹脂部材（22,24〜26）またはその裏に設けられる。このため、基地局（2）との通信が金属製のケーシング本体（21）に妨げられにくい。換言すると、アンテナ（30）を樹脂部材（22,24〜26）の裏側に配置することにより、基地局（2）との良好な通信を実現できる。このように、基地局（2）と通信するためのアンテナ（30）の配置を最適化できる。
【００２７】
−参考技術の効果２−
本参考技術の空気調和装置の室外機（10）は、上記ケーシング（20）内における上記点検扉（22）の裏側に配置され、該点検扉（22）側の側面の少なくとも一部が樹脂で構成された電装品箱（23）を備え、上記アンテナ（30）は、上記電装品箱（23）に収容される。
【００２８】
したがって、アンテナ（30）が電装品箱（23）に収容され、電装品箱（23）はさらにケーシング（20）内における点検扉（22）の裏側に配置される。電装品箱（23）の点検扉（22）側の側面の少なくとも一部と、点検扉（22）とが樹脂で構成される。アンテナ（30）が送受信する電波は、これらの樹脂で構成された部分を実質的に減衰せずに通過する。
【００２９】
−参考技術の効果３−
本参考技術の室外機システム（1）は、上記空気調和装置の室外機（10）を複数備え、上記空気調和装置の室外機（10）の間で、上記アンテナ（30）を介したホッピング通信を実行できるように構成されている。
【００３０】
したがって、複数の室外機（10）のいずれかにおいて基地局（2）との直接的な通信が困難である場合に、その室外機（10）は、基地局（2）との通信状態が良好な他の室外機（10）を経由して基地局（2）と間接的に通信することができる。
【００３１】
《実施形態１》
実施形態１について説明する。本実施形態の室外機（10）は、ケーシング（20）の構成とアンテナ（30）の配置が上記参考技術と異なる。以下、上記参考技術と異なる点について主に説明する。
【００３２】
図５に示すように、ケーシング（20）は、前後にやや扁平な直方体状に形成される。ケーシング（20）は、金属製のケーシング本体（21）と、ケーシング本体（21）の前面に取り付けられる樹脂製の吹出グリル（25）とを有する。ケーシング（20）内における吹出グリル（25）の裏側には、不図示の室外ファンが収容される。
【００３３】
ケーシング本体（21）には、樹脂製の把手（24）が設けられる。この把手（24）には、基地局（2）と通信するためのアンテナ（30）が一体化される。把手（24）は、樹脂部材を構成している。
【００３４】
−実施形態１の効果−
本実施形態の空気調和装置の室外機（10）では、樹脂部材である把手（24）にアンテナ（30）が設けられる。そして、この室外機（10）によっても、上記参考技術と同様の効果が得られる。
【００３５】
−実施形態１の変形例−
実施形態１の変形例について説明する。本変形例の室外機（10）は、上記実施形態１とアンテナ（30）の配置が異なる。以下、上記実施形態１と異なる点について主に説明する。
【００３６】
図６に示すように、アンテナ（30）は、樹脂製の吹出グリル（25）の中央部に一体化される。吹出グリル（25）は、樹脂部材を構成している。
【００３７】
《実施形態２》
実施形態２について説明する。本実施形態の室外機（10）は、ケーシング（20）の構成とアンテナ（30）の配置が上記実施形態１と異なる。以下、上記実施形態１と異なる点について主に説明する。
【００３８】
図７に示すように、ケーシング（20）は、前後にやや扁平な直方体状に形成される。ケーシング（20）は、金属製のケーシング本体（21）と、ケーシング本体（21）の前面に取り付けられる樹脂製の吹出グリル（25）とを有する。ケーシング（20）内における吹出グリル（25）の裏側には、不図示の室外ファンが収容される。
【００３９】
ケーシング本体（21）には、樹脂製の閉鎖弁カバー（26）が設けられる。閉鎖弁カバー（26）は、不図示の閉鎖弁を覆う。閉鎖弁カバー（26）には、基地局（2）と通信するためのアンテナ（30）が一体化される。閉鎖弁カバー（26）は、樹脂部材を構成している。
【００４０】
−実施形態２の効果−
本実施形態の空気調和装置の室外機（10）では、樹脂部材である閉鎖弁カバー（26）にアンテナ（30）が設けられる。そして、この室外機（10）によっても、上記参考技術と同様の効果が得られる。
【００４１】
《実施形態３》
実施形態３について説明する。本実施形態の室外機（10）は、ケーシング（20）の構成とアンテナ（30）の配置が上記実施形態１と異なる。以下、上記実施形態１と異なる点について主に説明する。
【００４２】
図８及び図９に示すように、本実施形態の室外機（10）では、ケーシング（20）のケーシング本体（21）に凹部（40）が形成される。凹部（40）は、ケーシング本体（21）の天板部（45）に形成された矩形状の窪みである。凹部（40）は、例えばプレス加工によって形成される。ケーシング本体（21）の天板部（45）において、凹部（40）は、室外機（10）を吹出し吹出グリル（25）側から見たときの右側部に沿って形成される。
【００４３】
本実施形態のアンテナ（30）は、棒状（ロッド状）に形成される。アンテナ（30）は、アンテナ（30）を支持する基台（31）に取り付けられる。アンテナ（30）は、その一端部が基台に回転可能に支持される。
【００４４】
基台（31）は、小さなブロック状の部材である。基台（31）の主な材質は、樹脂である。基台（31）は、凹部（40）の底面に固定される。基台（31）は、ケーシング本体（21）に取り付けられる樹脂部材である。基台（31）の高さは、凹部（40）の深さよりも低い（図９を参照）。従って、基台（31）は、その全体が凹部（40）に収容される。言い換えると、基台（31）は、その全体が凹部（40）に埋没している。
【００４５】
図９及び図１０に示すように、本実施形態のアンテナ（30）は、基台（31）に支持された一端部を中心に回転可能となっている。アンテナ（30）は、回転することによって、第１位置と第２位置との間を移動できる。
【００４６】
図９に示すように、第１位置は、アンテナ（30）の全体が凹部（40）に収容される位置である。第１位置に位置するアンテナ（30）は、その軸方向が概ね水平方向となり、その全体が凹部（40）に埋没する。言い換えると、第１位置に位置するアンテナ（30）は、その全体が、ケーシング本体（21）の天板部（45）の外面（45a）よりも下方に位置する。
【００４７】
図１０に示すように、第２位置は、アンテナ（30）の一部が凹部（40）の外部に存在する位置である。第２位置に位置するアンテナ（30）は、起立した姿勢となり、凹部（40）の外部に向かって突出する。
【００４８】
本実施形態の室外機（10）の輸送中において、アンテナ（30）は、第１位置に位置する。第１位置に位置するアンテナ（30）は、その全体が凹部（40）に埋没する。そのため、室外機（10）の輸送中にアンテナ（30）が破損する可能性が低くなる。
【００４９】
本実施形態の室外機（10）を建物などに据え付ける際には、作業者が、アンテナ（30）を手で操作して第１位置から第２位置へ移動させる。第２位置に位置するアンテナ（30）は、その一部が凹部（40）の外部に向かって突出する。そのため、アンテナ（30）が受信する電波の強度と、アンテナ（30）が発信する電波の強度とが比較的高く保たれ、室外機（10）と基地局（2）の間における通信が確実に行われる。
【００５０】
−実施形態３の効果−
本実施形態の室外機（10）では、ケーシング本体（21）の凹部（40）に基台（31）とアンテナ（30）が設置され、更には、アンテナ（30）が第１位置と第２位置の間を移動可能である。そのため、室外機（10）の輸送中は、アンテナ（30）を第１位置に位置させることによって、アンテナ（30）が損傷する可能性を低減できる。また、室外機（10）を建物などに据え付けた後は、アンテナ（30）を第２位置に位置させることによって、室外機（10）と基地局（2）の間における良好な通信を実現できる。
【００５１】
−実施形態３の変形例−
本実施形態の室外機（10）において、凹部（40）を形成する対象は、ケーシング本体（21）の天板部（45）に限定されない。アンテナ（30）及び基台（31）が設置される凹部（40）は、例えばケーシング本体（21）の側板部（46）に形成されていてもよい。
【００５２】
《その他の実施形態》
上記実施形態については、以下のような構成としてもよい。
【００５３】
上記参考技術では、樹脂製の点検扉（22）の裏に配置される電装品箱（23）にアンテナ（30）が収容されるが、例えば、点検扉（22）にアンテナ（30）が一体化されていてもよい。
【００５４】
また、上記実施形態１〜３のそれぞれにおいて、アンテナ（30）の形状は限定されない。アンテナ（30）は、例えばシャークフィン状のアンテナであってもよいし、ブレード状のアンテナであってもよい。また、アンテナ（30）は、プリント基板などに取り付けられるチップ状のアンテナであってもよい。
【００５５】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【００５６】
以上説明したように、本開示は、空気調和装置の室外機およびそれを備えた室外機システムについて有用である。
【符号の説明】
【００５７】
1  室外機システム
2  基地局
10  室外機
20  ケーシング
21  ケーシング本体
22  点検扉（樹脂部材）
23  電装品箱
24  把手（樹脂部材）
25  吹出グリル（樹脂部材）
26  閉鎖弁カバー（樹脂部材）
30  アンテナ
31  基台（樹脂部材）
【手続補正２】
【補正対象書類名】特許請求の範囲
【補正対象項目名】全文
【補正方法】変更
【補正の内容】
【特許請求の範囲】
【請求項１】
ケーシング（20）と、
上記ケーシング（20）に設けられ、基地局（2）と通信するためのアンテナ（30）とを備え、
上記ケーシング（20）は、
金属製のケーシング本体（21）と、
上記ケーシング本体（21）に取り付けられて該ケーシング本体（21）の外部に露出する樹脂部材（24〜26）とを有し、
上記アンテナ（30）は、上記樹脂部材（24〜26）と一体化される
ことを特徴とする空気調和装置の室外機。
【請求項２】
請求項１において、
上記樹脂部材は、把手（24）である
ことを特徴とする空気調和装置の室外機。
【請求項３】
請求項１において、
上記樹脂部材は、閉鎖弁カバー（26）である
ことを特徴とする空気調和装置の室外機。
【請求項４】
請求項１において、
上記樹脂部材は、吹出グリル（25）である
ことを特徴とする空気調和装置の室外機。
【請求項５】
ケーシング（20）と、
上記ケーシング（20）に設けられ、基地局（2）と通信するためのアンテナ（30）とを備え、
上記ケーシング（20）は、金属製のケーシング本体（21）と、上記ケーシング本体（21）に取り付けられる樹脂部材（31）とを有し、
上記ケーシング本体（21）には、該ケーシング本体（21）の外側に開口する凹部（40）が形成され、
上記ケーシング本体（21）の上記凹部（40）に、上記アンテナ（30）及び上記樹脂部材（31）が設置され、
上記樹脂部材は、上記アンテナ（30）を変位可能に支持する基台（31）であり、
上記基台（31）の全体が上記凹部（40）に収容され、
上記基台（31）の高さは、上記凹部（40）の深さよりも低く、
上記アンテナ（30）は、該アンテナ（30）の全体が上記凹部（40）に収容されて上記ケーシング本体（21）の外面よりも内側に位置する第１位置と、該アンテナ（30）の少なくとも一部が上記凹部（40）の外部に位置する第２位置との間を移動可能である
ことを特徴とする空気調和装置の室外機。
【請求項６】
請求項１〜５のいずれか１項に記載の空気調和装置の室外機（10）を複数備え、
上記空気調和装置の室外機（10）の間で、上記アンテナ（30）を介したホッピング通信を実行できるように構成されている
ことを特徴とする室外機システム。